【事件の表示】
　特許第３４２３９０１号「屋根構造」の請求項１、２に係る特許に対する特許異議の申立てについて、次のとおり決定する。
【結　論】
　訂正を認める。
　特許第３４２３９０１号の請求項１ないし２に係る特許を維持する。
【理　由】
１．手続の経緯
　本件特許３４２３９０１号に係る出願は、平成１１年７月２６日の出願であって、平成１５年４月２５日に特許の設定登録がなされ、その後、平成１５年１２月１８日付で住友林業株式会社から特許異議の申立てがなされ、当審により平成１６年６月１０日付で取消理由通知が通知され、その指定期間内である同年８月１７日付で意見書が提出されるとともに同日付で訂正請求がなされ、審尋に対し、異議申立人から同年９月２８日付で回答書が提出され、再度、当審により同年１０月１５日付で取消理由通知が通知され、その指定期間内である同年１２月２１日付で意見書が提出されたものである。
　
２．訂正の適否についての判断
（１）訂正の内容
　特許権者は、訂正請求書を提出して、特許明細書および図面を次のように訂正しようとするものである。
ア．訂正事項ａ　
「 住宅の第１の外壁面の第１の躯体から任意の寸法の持出梁の先端部分に第１の鼻先梁を配置し、第１の外壁面の第１の躯体の上に梁と持出梁が一体になった梁を架け、前記第１の外壁面に平行な該住宅の反対側の第２の外壁面より外側であって該第１の鼻先梁からモジュールの整数倍の位置に第２の鼻先梁を配置し、屋根の庇の出寸法にあわせて持出梁を第２の外壁面の第２の躯体から持ち出させて前記第２の鼻先梁を接続し、第１の鼻先梁と同じ高さにある第２の鼻先梁との間に屋根の垂木を配置した屋根構造。」
とある特許請求の範囲の請求項１の記載を、
「
鉄骨系の住宅に於いて、
て接続し、
柱の
に、該第１の鼻先梁からモジュールの整数倍の位置であって屋根の庇の出寸法にあわせて第２の外壁面の第２の躯体から持ち出させた持出梁に前記第２の鼻先梁を配置して接続し、
が架けられ、且つ前記梁と持出梁が一体になった梁と桁梁とが同一の高さに接続されていることを特徴とする
と訂正する。
イ．訂正事項ｂ
　明細書の段落【０００２】の記載について、「切妻屋根は図７に示すように、」とあるのを、「切妻屋根は図５に示すように、」と訂正する。
ウ．訂正事項ｃ
　明細書の段落【０００５】の記載について、
「【発明を解決するための手段】本発明は以下の通りである。住宅の第１の外壁面の第１の躯体から任意の寸法の持出梁の先端部分に第１の鼻先梁を配置し、第１の外壁面の第１の躯体の上に梁と持出梁が一体になった梁を架け、前記第１の外壁面に平行な該住宅の反対側の第２の外壁面より外側であって該第１の鼻先梁からモジュールの整数倍の位置に第２の鼻先梁を配置し、屋根の庇の出寸法にあわせて持出梁を第２の外壁面の第２の躯体から持ち出させて前記第２の鼻先梁を接続し、第１の鼻先梁と同じ高さにある第２の鼻先梁との間に屋根の垂木を配置した屋根構造である。」
とあるのを、
「【発明を解決するための手段】本発明は以下の通りである。鉄骨系の住宅に於いて、住宅の第１の外壁面の第１の躯体から任意の寸法の持出梁の先端部分に第１の鼻先梁を配置して接続し、第１の外壁面の第１の躯体の柱の上に梁と持出梁が一体になった梁を架け、前記第１の外壁面に平行な該住宅の反対側の第２の外壁面より外側に、該第１の鼻先梁からモジュールの整数倍の位置であって屋根の庇の出寸法にあわせて第２の外壁面の第２の躯体から持ち出させた持出梁に前記第２の鼻先梁を配置して接続し、第１の鼻先梁と同じ高さにある第２の鼻先梁との間に屋根の垂木が架けられ、且つ前記梁と持出梁が一体になった梁と桁梁とが同一の高さに接続されていることを特徴とする屋根構造である。」
と訂正する。
エ．訂正事項ｄ　
　明細書の段落【０００６】の記載について、「屋根の垂木の先端部分が架けられて屋根構造である。」とあるのを、「屋根の垂木の先端部分が架けられてなる屋根構造である。」と訂正する。
オ．訂正事項ｅ
　明細書の段落【０００７】の記載について、
「【発明の実施の形態】以下に、本発明の実施の形態を図面により説明する。図１は、本発明の設計、施工と屋根の構造を示す１実施例の図、図２は図１の第１の外壁面側の詳細の図、図３は図１の第２の外壁面側の詳細の図、図４は別の実施例の詳細な図、図５は住宅の外壁面と庇の先端との関係および屋根の伏図を示す実施例の図、図６は別の実施例で庇の出寸法を最小にした場合の詳細な図である。」
とあるのを、
「【発明の実施の形態】以下に、本発明の実施の形態を図面により説明する。図１は、本発明の設計、施工と屋根の構造を示す１実施例の図、図２は図１の第１の外壁面側の詳細の図、図３は住宅の外壁面と庇の先端との関係および屋根の伏図を示す実施例の図、図４は別の実施例で庇の出寸法を最小にした場合の詳細な図である。」
と訂正する。
カ．訂正事項ｆ
　明細書の段落【００１０】の記載について、「図６」とあるのを、「図４」に訂正する。
キ．訂正事項ｇ
　明細書の段落【００１１】〜【００１３】の記載について、
「図２は図１の北側の詳細である。躯体は柱１側面に梁２と桁梁３が固定されている。更にこの柱１または桁梁３に持出梁７が固定され、その先端に鼻先梁６が固定されている。束４が梁２、鼻先梁４に固定され、更に垂木５がその上に架けられている。垂木５の先端の樋が庇先端となり、外壁面９からの寸法が庇の出寸法８となっている。
　図３は図１の南側の詳細で、図２と内容は同じで、庇の出寸法８と持出梁７の長さが異なっている。束４が垂木５の先端にない例である。
　図４は図２と寸法、構成はほぼ同じであるが、躯体の構造が柱１の上に梁２と持出梁７が一体になった梁が架けられている。これは持出梁を後付けにするより施工上も有利だし、部品点数も少なくできる。この場合、桁梁３は梁２と持出梁７が一体になった梁に接続されている。」
とあるのを、段落番号を【００１１】に変更するとともに、
「図２は図１の北側の詳細である。躯体の構造が柱１の上に梁２と持出梁７が一体になった梁が架けられている。持出梁７の先端に鼻先梁６が固定されている。束４が梁２、鼻先梁６に固定され、更に垂木５がその上に架けられている。垂木５の先端の樋が庇先端となり、外壁面９からの寸法が庇の出寸法８となっている。これは持出梁を後付けにするより施工上も有利だし、部品点数も少なくできる。この場合、桁梁３は梁２と持出梁７が一体になった梁に接続されている。」
に訂正する。
ク．訂正事項ｈ
　明細書の段落【００１４】の記載について、段落番号を【００１２】に変更するとともに、「図５」とあるのを、「図３」に訂正する。
ケ．訂正事項ｉ
　明細書の段落番号【００１５】〜【００１７】を、段落番号【００１３】〜【００１５】に変更する。
コ．訂正事項ｊ
　明細書の段落【００１８】の記載について、段落番号を【００１６】に変更するとともに、「図６」とあるのを、「図４」に訂正する。
サ．訂正事項ｋ
　明細書の段落【００１９】の記載について、
「なお、上記例は鉄骨系住宅をもとに説明したが、本発明は木造にも適用できる。ただし、材料の強度などの点から、鉄骨系に適用した方がよりメリットがある。本発明は、寄棟、切妻の屋根に適用できるが、庇先端を同一高さにして美観上優れた効果を発揮させやすいのは寄棟である。」
とあるのを、
段落番号を【００１７】に変更するとともに、
「なお、上記例は鉄骨系住宅をもとに説明したが、材料の強度などの点から、鉄骨系に適用した方がよりメリットがある。本発明は、寄棟、切妻の屋根に適用できるが、庇先端を同一高さにして美観上優れた効果を発揮させやすいのは寄棟である。」
に訂正する。
シ．訂正事項ｌ
　明細書の段落番号【００２０】〜【００２２】を、段落番号【００１８】〜【００２０】に変更する。
ス．訂正事項ｍ
　明細書の【図面の簡単な説明】の記載について
「【図１】本発明の設計、施工と屋根の構造を示す１実施例の図。
【図２】図１の第１の外壁面側の詳細な図。
【図３】図１の第２の外壁面側の詳細な図。
【図４】別の実施例の詳細な図。
【図５】住宅の外壁面と庇の先端との関係および屋根の伏図を示す実施例の図。
【図６】別の実施例で庇の出寸法を最小にした場合の詳細な図。
【図７】従来の外壁面側の詳細な図。」
とあるのを、
「【図１】本発明の設計、施工と屋根の構造を示す１実施例の図。
【図２】図１の第１の外壁面側の詳細な図。
【図３】住宅の外壁面と庇の先端との関係および屋根の伏図を示す実施例の図。
【図４】別の実施例で庇の出寸法を最小にした場合の詳細な図。
【図５】従来の外壁面側の詳細な図。」
に訂正する。
セ．訂正事項ｎ
　明細書の【符号の説明】の記載について
「１ 柱
２ 梁
３ 梁
４ 束
５ 垂木
６ 鼻先梁
７ 持出梁
８ 庇の出寸法
９ 外壁面
１０ 庇先端
１１ 第１の外壁面
１２ 第２の外壁面
１３ 第１の鼻先梁
１４ 第２の鼻先梁
１５ 第１の躯体
１６ 第２の躯体
１７ 持出梁
１８ 屋根の稜線
５１ 柱
５２ 梁
５３ 桁梁
５４ 束
５５ 垂木
５８ 庇の出寸法
５９ 外壁面」
とあるのを、
「１ 　　　　柱
２ 　　　　梁
３ 　　　　桁梁
４ 　　　　束
５ 　　　　垂木
６ 　　　　鼻先梁
７ 　　　　持出梁
８ 　　　　庇の出寸法
９ 　　　　外壁面
１０ 　　　　庇先端
１１ 　　　　第１の外壁面
１２ 　　　　第２の外壁面
１３ 　　　　第１の鼻先梁
１４ 　　　　第２の鼻先梁
１５ 　　　　第１の躯体
１６ 　　　　第２の躯体
１７ 　　　　持出梁
１８ 　　　　屋根の稜線
５１ 　　　　柱
５２ 　　　　梁
５３ 　　　　桁梁
５４ 　　　　束
５５ 　　　　垂木
５８ 　　　　庇の出寸法
５９ 　　　　外壁面」
に訂正する。
ソ．訂正事項ｏ
　願書に添付した図２および図３を削除し、願書に添付した図４を図２に、願書に添付した図５を図３に、願書に添付した図６を図４に、願書に添付した図７を図５に訂正する。
　
（２）訂正の目的の適否、新規事項の有無および拡張・変更の適否
　上記訂正事項ａに係る訂正は、特許請求の範囲の減縮および明りょうでない記載の釈明を目的とした明細書の訂正に該当し、上記訂正事項ｂ〜ｏは、明りょうでない記載の釈明および誤記の訂正を目的とした明細書および図面の訂正に該当し、いずれも、新規事項の追加に該当せず、実質上特許請求の範囲を拡張し、又は変更するものではない。
　
（３）むすび
　したがって、上記訂正は、平成１５年改正前の特許法第１２０条の４第２項および第３項で準用する同第１２６条第２項および第３項の規定に適合するので、当該訂正を認める。
　
３．特許異議の申立てについて
（１）申立ての理由の概要
　申立人住友林業株式会社は、証拠として 甲第１号証ないし甲第９号証を提出し、本件請求項１および請求項２に係る発明の特許は、特許法第２９条第２項の規定に違反してなされたものであり、特許法第１１３条第２項に該当するので取り消されるべきものであり、また、本件請求項１および請求項２に係る発明の特許は、その明細書が特許法第３６条第６項第２項に規定する要件を満たしていない特許出願に対してなされたものであり、さらに、本件請求項１および請求項２に係る発明の特許は、その明細書が特許法第３６条第４項に規定する要件を満たしていない特許出願に対してなされたものであり、取り消されるべきものである旨を主張している。
　
（２）本件訂正後発明
　本件訂正明細書の請求項１、２に係る発明（以下、「訂正後発明１、２」という。）は、訂正明細書の特許請求の範囲の請求項１、２に記載された次の事項により特定されるとおりのものである。
「【請求項１】　鉄骨系の住宅に於いて、住宅の第１の外壁面の第１の躯体から任意の寸法の持出梁の先端部分に第１の鼻先梁を配置して接続し。第１の外壁面の第１の躯体の柱の上に梁と持出梁が一体になった梁を架け、前記第１の外壁面に平行な該住宅の反対側の第２の外壁面より外側に、該第１の鼻先梁からモジュールの整数倍の位置であって屋根の庇の出寸法にあわせて第２の外壁面の第２の躯体から持ち出させた持出梁に前記第２の鼻先梁を配置して接続し、第１の鼻先梁と同じ高さにある第２の鼻先梁との間に屋根の垂木が架けられ、且つ前記梁と持出梁が一体になった梁と桁梁とが同一の高さに接続されていることを特徴とする屋根構造。
　【請求項２】　４面以上の外壁面を有する住宅において、屋根の庇の出寸法が２種類以上であり、該庇は躯体に固定された持出梁の先端に取り付けられた鼻先梁又は躯体の桁梁に屋根の垂木の先端部分が架けられてなる請求項１に記載した屋根構造。」
　
（３）特許法第３６条に関する申立ての理由について
　本件特許明細書の記載は、上記訂正事項ａ〜ｏにより明確となったから、訂正後発明１、２に係る特許は、特許法第３６条第６項第２号に規定する要件を満たしていない特許出願に対してされたものであるとも、特許法第３６条第４項に規定する要件を満たしていない特許出願に対してなされたものであるとすることができない。
　なお、異議申立人は、平成１６年９月２８日付回答書において、訂正後の請求項１の記載において、「住宅の第１の外壁面の第１の躯体から」という要件を受ける文言が依然として見あたらないことから、該要件の意味が不明瞭である旨を主張しているが、「住宅の第１の外壁面の第１の躯体から任意の寸法持ち出した持出梁の先端部分に第１の鼻先梁を配置して接続」する構成を意味することが当業者にとって明らかであるから、訂正後発明１および訂正後発明２の構成を特定できないということはできない。
　
（４）特許法第２９条第２項に関する申立ての理由について
（４−１）引用刊行物
　刊行物１：飯塚五郎蔵著，「住宅デザインと木構造」，丸善株式会社，平成元年１０月１０日，ｐ．１５５−１５７，１８３（異議申立人の提出した甲第１号証）
　刊行物２：松井郁夫，”小屋組”，建築知識，株式会社建築知識，１９９４年６月１日，第３６巻，第７号，ｐ．１０４−１０６（異議申立人の提出した甲第２号証）
　刊行物３：特開昭６３−１３８０４８号公報（異議申立人の提出した甲第３号証）
　刊行物４：特開平１１−１３１５８６号公報（異議申立人の提出した甲第４号証）
　刊行物５：登録実用新案第３０１５３２３号公報（異議申立人の提出した甲第５号証）
　刊行物６：特開平１１−８１４４１号公報（異議申立人の提出した甲第６号証）
　刊行物７：特開平９−２７９８６８号公報（異議申立人の提出した甲第７号証）
　刊行物８：特開平９−２３５８１９号公報（異議申立人の提出した甲第８号証）
　刊行物９：特開平１０−２９２５４６号公報（異議申立人の提出した甲第９号証）
　刊行物１０：特開平４−９２０４２号公報
　刊行物１１：特開昭６０−２２６９４１号公報
　刊行物１２：特開平１０−２８０５５０号公報
　
（４−２）引用刊行物に記載された技術的事項
　刊行物１には、一般的な屋根のかけ方の原則として、軒高はどこでも同じ高さにすべき旨が記載されている。また、図８．４８には、小屋梁が、柱よりも外方に突出配置されてた構成が記載されている。
　刊行物２には、屋根を組むにあたって、軒高の高さをそろえることを留意すべき旨が記載されている。
　刊行物３には、一方の外壁側とそれに対向する他方の外壁側において庇の出寸法が異なる構成が記載されている。
　刊行物４〜８には、モジュールなる概念を導入し、その整数倍を基準として住宅設計を行う技術事項が記載されている。
　刊行物９には、従来技術として、互いに平行に配設された一対の軒桁間に横架材を架設し、該横架材上に複数の束を立設し、該束上に垂木等を配設して小屋組にする構成が記載されている。
　刊行物１０には、鉄骨系の住宅において、住宅の第１の外壁面から陸梁を持ち出させた構成、前記第１の外壁面に平行な該住宅の反対側の第２の外壁面より外側に第２の外壁面の第２の躯体から持ち出させた陸梁を配置した構成、および、陸梁と側桁（桁梁に相当する）とが同一の高さに接続された構成が記載されている。
　刊行物１１には、家屋の第１の外壁１からモジュールの整数倍の片持梁の先端部分に桁梁を配置して接続した構成、該第１の外壁面に平行な該家屋の反対側に、該桁梁からモジュールの整数倍の位置に屋根支持部材を配置して接続した構成、および、桁梁と同じ高さにある屋根支持部材との間に屋根の垂木に相当する部材が架けられた構成が記載されている。
　刊行物１２には、４面以上の外壁面を有し、屋根の庇の出寸法が２種類以上の建物の屋根構造が記載されている。
　
（４−３）当審の判断
　訂正請求により【請求項１】の記載が、訂正後発明１のとおりに訂正されることにともない、訂正後発明１は、「第１の外壁面の第１の躯体の柱の上に梁と持出梁が一体になった梁を架け」という発明特定事項を有することになった。
　しかしながら、申立人の提出した甲第１号証ないし甲第９号証（刊行物１ないし刊行物９）、ならびに当審により新たに提示した刊行物１０ないし刊行物１２のいずれにも、「第１の外壁面の第１の躯体の柱の上に梁と持出梁が一体になった梁を架け」た構成についての記載が認められず、またそれを示唆する記載も認められない。
　そうしてみると、上記刊行物１ないし刊行物１２には、訂正後発明１の発明特定事項の一部が個々に記載されているだけであり、上記刊行物１ないし刊行物１２にそれぞれ記載された発明を組み合わせたとしても、もとより訂正後発明１の構成を得ることができない。そして、訂正後発明１は、前記発明特定事項により、特許明細書に記載されている格別顕著な作用効果を奏するものと認められる。
　したがって、訂正後発明１は、上記刊行物１ないし刊行物１２に記載の発明に基づいて当業者が容易に発明をすることができたものではない。
　そして、訂正後発明２は、訂正後発明１を更に限定したものであるから、上記訂正後発明１についての判断と同様の理由により、上記刊行物１ないし刊行物１２に記載の発明に基づいて当業者が容易に発明をすることができたものではない。
　
４．むすび
　以上のとおりであるから、特許異議申立ての理由および証拠によっては、訂正後発明１、２の特許を取り消すことはできない。
　また、他に訂正後発明１、２の特許を取り消すべき理由を発見しない。
　よって、結論のとおり決定する。
【異議決定日】
平成１７年１月１２日（２００５．１．１２）
【訂正の要旨】
審決（決定）の【理由】欄参照。
（５４）【発明の名称】
屋根構造
（５７）【特許請求の範囲】
　【請求項１】　鉄骨系の住宅に於いて、住宅の第１の外壁面の第１の躯体から任意の寸法の持出梁の先端部分に第１の鼻先梁を配置して接続し、第１の外壁面の第１の躯体の柱の上に梁と持出梁が一体になった梁を架け、前記第１の外壁面に平行な該住宅の反対側の第２の外壁面より外側に、該第１の鼻先梁からモジュールの整数倍の位置であって屋根の庇の出寸法にあわせて第２の外壁面の第２の躯体から持ち出させた持出梁に前記第２の鼻先梁を配置して接続し、第１の鼻先梁と同じ高さにある第２の鼻先梁との間に屋根の垂木が架けられ、且つ前記梁と持出梁が一体になった梁と桁梁とが同一の高さに接続されていることを特徴とする屋根構造。
　【請求項２】　４面以上の外壁面を有する住宅において、屋根の庇の出寸法が２種類以上であり、該庇は躯体に固定された持出梁の先端に取り付けられた鼻先梁又は躯体の桁梁に屋根の垂木の先端部分が架けられてなる請求項１に記載した屋根構造。
【発明の詳細な説明】
　【０００１】
　【本発明の属する技術分野】
　本発明は中低層住宅の屋根、特に軒下面積を自由に選択できる寄棟、切妻屋根の構造に関する。
　【０００２】
　【従来の技術】
　一般の中低層住宅の寄棟、切妻屋根は図５に示すように、躯体である柱５１、梁５２、柱５１上の桁梁５３に垂木５５を固定（勿論、屋根を支える束５４は必要部分に設ける）している。そして住宅周囲の外壁面５９から庇の樋（図示せず）先端までの寸法、即ち庇の出寸法５８を一定にして、屋根の先端の高さをどこをとっても同じにしている。
　【０００３】
　【発明が解決しようとする課題】
　最近の都市市街地では、成熟した街並みに調和する外観と制約の多い限られた敷地を最大限に活用する住宅が望まれてきている。外観を寄棟や切妻屋根を基調とした高級感のある住宅を狭い敷地に建てたいのである。この時庇の出寸法を自在に組み合わせることが必要になる。例えば、敷地の境界線ぎりぎりに外壁面がくる場合庇の出寸法はなくすか、他の外壁面の庇の出寸法より短くしなければならない。また、南側外壁面では軒下空間を有効に利用するために１ｍ程度あるいは１ｍ以上にしたいというニーズも多くなってきている。
　【０００４】
　上記従来住宅では、このようなニーズに応えるために外壁面毎に庇の出寸法を変えようとすると、高さが一定の桁梁から下り勾配の垂木を延長しなければならないので庇先端の高さがまちまちになり美観上極めて好ましくない住宅になってしまう。また、強度上垂木を長く延長するためには垂木断面を大きくしなければならない。また垂木の種類も多種にしなければならない。垂木の種類が多くなれば、屋根の鼻先金物、樋の取り付けの納まり、軒裏の処理の単純さなどに多くの難問が生じる。当然部品点数も多くなりコストや、施工手間に多くの問題点になっている。更には、住環境の面からも、庇先端が低くなるため庇下の採光が悪化し、また通風の障害にもなっている。本発明は、住宅の庇先端の高さが同一であるにもかかわらず庇の出寸法を自由に選択しながら、躯体の位置にとらわれることなく屋根特に庇位置を配置できる設計、施工する方法と住宅の屋根構造を提供するものである。
　【０００５】
　【発明を解決するための手段】
　本発明は以下の通りである。鉄骨系の住宅に於いて、住宅の第１の外壁面の第１の躯体から任意の寸法の持出梁の先端部分に第１の鼻先梁を配置して接続し、第１の外壁面の第１の躯体の柱の上に梁と持出梁が一体になった梁を架け、前記第１の外壁面に平行な該住宅の反対側の第２の外壁面より外側に、該第１の鼻先梁からモジュールの整数倍の位置であって屋根の庇の出寸法にあわせて第２の外壁面の第２の躯体から持ち出させた持出梁に前記第２の鼻先梁を配置して接続し、第１の鼻先梁と同じ高さにある第２の鼻先梁との間に屋根の垂木が架けられ、且つ前記梁と持出梁が一体になった梁と桁梁とが同一の高さに接続されていることを特徴とする屋根構造である。
　【０００６】
　また、上記屋根構造において、４面以上の外壁面を有する住宅において、屋根の庇の出寸法が２種類以上であり、該庇は躯体に固定された持出梁の先端に取り付けられた鼻先梁又は躯体の桁梁に屋根の垂木の先端部分が架けられてなる屋根構造である。
　【０００７】
　【発明の実施の形態】
　以下に、本発明の実施の形態を図面により説明する。図１は、本発明の設計、施工と屋根の構造を示す１実施例の図、図２は図１の第１の外壁面側の詳細の図、図３は住宅の外壁面と庇の先端との関係および屋根の伏図を示す実施例の図、図４は別の実施例で庇の出寸法を最小にした場合の詳細な図である。
　【０００８】
　図１は住宅を南北にきった断面を示している。第１の外壁面１１が北側で、敷地に余裕がなく庇の出寸法、すなわち外壁面から樋（以下の全ての図では省略）の先端までの寸法があまりとれなく、約８５ｃｍの例である。第２の外壁面１２は南側になっており軒下を屋根のあるベランダにするために庇の出寸法を約２０７ｃｍにしている。この住宅は、先ず躯体位置を決め、第１の躯体１５の第１の外壁面１１側から北側に庇の出寸法にあった持出梁１７を配置する。次にその先端に第１の鼻先梁１３を配置する。この第１の鼻先梁１３からモジュールの整数倍で住宅の反対側になる南側のベランダの屋根先端になる位置に第２の鼻先梁１４を配置し、この第２の鼻先梁と第２の躯体１６の間に持出梁１７を配置する。その後垂木を架けるのである。このようにすると、少なくとも北側の庇の出寸法は自由に選択することができる。即ち、躯体の配置に無関係に屋根の配置を決めることが可能になる。
　【０００９】
　この場合、持出梁の長さをモジュールの整数倍の寸法にしておけば全体としてすべてをモジュールによって構成することができる。そして予め数種類の持出梁を準備しておき、ニーズにあったものを利用すれば部品点数も減り設計、施工に有利である。実用的には庇の出寸法が６０ｃｍから１８０ｃｍ程度で４〜５種類位の持出梁を用意しておくのがいい。本実施例ではモジュールは３０．５ｃｍであり、持出梁の長さ、即ち桁梁と鼻先梁間をモジュールの整数倍にしている。
　【００１０】
　もし、北側の庇の出寸法をできるだけ小さくしたい場合は、第１の躯体１５の桁梁に第１の鼻先梁１３を兼ねさせ、持出梁１７を省略すればよい。この場合、庇の出寸法はおおよそ２４ｃｍとなる。その実施例は図４に示す。そして、持出梁１７または持出梁１７に取り付けられた鼻先梁１３には垂木５の先端部分が架けられ屋根として仕上げられていく。なお、垂木は複数の垂木からなるパネルの垂木、または垂木と面材とからなるパネルの垂木でもよい。
　【００１１】
　図２は図１の北側の詳細である。躯体の構造が柱１の上に梁２と持出梁７が一体になった梁が架けられている。持出梁７の先端に鼻先梁６が固定されている。束４が梁２、鼻先梁６に固定され、更に垂木５がその上に架けられている。垂木５の先端の樋が庇先端となり、外壁面９からの寸法が庇の出寸法８となっている。これは持出梁を後付けにするより施工上も有利だし、部品点数も少なくできる。この場合、桁梁３は梁２と持出梁７が一体になった梁に接続されている。
　【００１２】
　図３は住宅の平面の図でＡは、庇先端１０と外壁面９の関係、すなわち庇の出寸法８が各外壁面の場所により異なる住宅を示し、またその伏図をも兼ねて示している。屋根の稜線１８は稜部と谷部からなっていることを示している。
　【００１３】
　Ｂは外壁面９が複雑の形状であっても庇先端１０の外周を矩形（整形）にすることができることを示している。すなわち本発明によれば、このような躯体の外壁面がいかに複雑であっても屋根を単純な整形にできるのである。この例では稜線１８には谷部がない極めて単純な屋根になっている。
　【００１４】
　Ｃは壁面内の間取りの例である。要するに庇先端の高さを同一にしながら、庇の出寸法を変化させ上記課題を達成させた住宅の平面の例である。
　【００１５】
　この例からもいえるように、普通の住宅の平面は矩形であることは少ない、すなわち外壁面は６面以上となり、これに伴い庇の出寸法の種類も３種以上になることが多く、本発明を適用することより設計施工に有利となる。
　【００１６】
　図４は、図１の説明で持出梁を省略した場合の実施例を示している。要は桁梁３は鼻先梁を兼ねていることである。このようなニーズは市街地では極めて高い。
　【００１７】
　なお、上記例は鉄骨系住宅をもとに説明したが、材料の強度などの点から、鉄骨系に適用した方がよりメリットがある。本発明は、寄棟、切妻の屋根に適用できるが、庇先端を同一高さにして美観上優れた効果を発揮させやすいのは寄棟である。
　【００１８】
　【発明の効果】
　本発明の屋根構造によれば、庇の先端の高さを同一にしながら庇の出寸法を自由に組み合わせることができるので、限られた敷地を最大限に活用でき、また美観上も全く劣ることがない。
　【００１９】
　本発明では屋根を整形にできるので、屋根が大きく建物を堂々と見せることができ、美観上も有利になる。加えて、屋根構造を単純にでき、屋根の防水面での弱点である谷の部分が少なく、又はなくすことができるので、防水上の欠点もない住宅にできる。その結果より耐久性をもたすことが可能になる。
　【００２０】
　本発明は、上記課題に記した全ての問題点を解決できている。すなわち、施工、構造など技術的に優れていること、また庇の高さを変えずに庇の出寸法を何種類かもつことは庇下の部屋の環境を庇の出寸法の長さによらず良好にできることだけでなく、美観など未来の住宅のニーズを満たした住宅を提供できるのである。
【図面の簡単な説明】
　【図１】
　本発明の設計、施工と屋根の構造を示す１実施例の図。
　【図２】
　図１の第１の外壁面側の詳細な図。
　【図３】
　住宅の外壁面と庇の先端との関係および屋根の伏図を示す実施例の図。
　【図４】
　別の実施例で庇の出寸法を最小にした場合の詳細な図。
　【図５】
　従来の外壁面側の詳細な図。
　【符号の説明】
　１　　　　　柱
　２　　　　　梁
　３　　　　　桁梁
　４　　　　　束
　５　　　　　垂木
　６　　　　　鼻先梁
　７　　　　　持出梁
　８　　　　　庇の出寸法
　９　　　　　外壁面
　１０　　　　庇先端
　１１　　　　第１の外壁面
　１２　　　　第２の外壁面
　１３　　　　第１の鼻先梁
　１４　　　　第２の鼻先梁
　１５　　　　第１の躯体
　１６　　　　第２の躯体
　１７　　　　持出梁
　１８　　　　屋根の稜線
　５１　　　　柱
　５２　　　　梁
　５３　　　　桁梁
　５４　　　　束
　５５　　　　垂木
　５８　　　　庇の出寸法
　５９　　　　外壁面
【図面】